(57)【特許請求の範囲】
【請求項１】
弁体が固定された弁棒の少なくとも一端を弁箱外まで延在させた部分に、該弁棒に固定されるスプリングレバーと、該スプリングレバーを介して前記弁棒に対し弁体が弁座に着座する方向の回動力を付勢するスプリングとを収納するスプリングユニットが接続されている急閉型の逆止弁において、
前記スプリングユニットは、ほぼ菱形に形成されたスプリングユニットケースと、該スプリングユニットケースの外周に先端縁を突き当てて取り付けられたユニットカバーとを有し、前記スプリングユニットケースと該ユニットカバーとによって形成された内部空間に、前記スプリングレバー及びスプリングを収納するともに、前記スプリングユニットケースの菱形形状の各頂部にドレンを排出する排出口を設けたことを特徴とする逆止弁。
【発明の詳細な説明】
【技術分野】
【０００１】
本発明は、弁棒の少なくとも一端を、貫通して弁箱外まで延在させ、その弁箱外にて前記弁棒に対し弁体が弁座に着座する方向への回動力を弾性的に付勢する弾性付勢手段が装備される急閉型の逆止弁に関する。
【背景技術】
【０００２】
【特許文献１】実公昭４６‐３３５１６号公報
【特許文献２】実公昭５３‐４２８０７号公報
【０００３】
従来、例えば送水管路の途中に配設された逆止弁は、逆流防止と共に水撃作用を防止するため、逆止弁を急速に閉止させるべく、スプリングを有する弾性付勢手段を装備することが一般である。この場合、送水管内を流れる液が汚水であるか、または腐食性を有する液体であるときは、弁内部に弾性付勢手段を設けることができないので、特許文献１，２に記載されているように、弁棒を外方へ延長し弁箱の外部にて弁棒の延長部に弾性付勢手段を取り付けている。これを外装スプリング式急閉逆止弁と称し、現今盛んに使用されているものである。
【０００４】
ところで、上記した逆止弁は弁棒が弁箱を貫通して外部に至るため、弁棒からの漏れを防ぐ機構が必要不可欠である。このようなシール機構を設けているものの、逆止弁は経時使用により弁棒を伝わって圧力水が外部に漏れることは避けられない。そして、その外部に漏れた水が水滴等になって落下し、下部を汚すことが発生した。したがって、逆止弁に下方に貯水槽があった場合、弁外部に漏れた汚水等のドレンが貯水槽に入るという事態を招くおそれもあった。
【発明の開示】
【発明が解決しようとする課題】
【０００５】
本発明は、上記した従来の事情に鑑み、簡単な構成で弁箱の外部に漏れた水を回収することができる逆止弁を提供することを目的としている。
【課題を解決するための手段】
【０００６】
上記の目的を達成するため、本発明は、弁体が固定された弁棒の少なくとも一端を弁箱外まで延在させた部分に、該弁棒に固定されるスプリングレバーと、該スプリングレバーを介して前記弁棒に対し弁体が弁座に着座する方向の回動力を付勢するスプリングとを収納するスプリングユニットが接続されている急閉型の逆止弁において、前記スプリングユニットは、ほぼ菱形に形成されたスプリングユニットケースと、該スプリングユニットケースの外周に先端縁を突き当てて取り付けられたユニットカバーとを有し、前記スプリングユニットケースと該ユニットカバーとによって形成された内部空間に、前記スプリングレバー及びスプリングを収納するともに、前記スプリングユニットケースの菱形形状の各頂部にドレンを排出する排出口を設けたことを特徴とする逆止弁を提案する。
【発明の効果】
【０００８】
本発明の構成によれば、弁棒伝いに漏れてスプリングユニット内に溜まるドレンを外部に落下したり撒き散らしたりすることなく排出口から排出させることができる。
【発明を実施するための最良の形態】
【０００９】
以下、本発明の実施の形態を添付図面に従って説明する。
図１は、本発明に係る逆止弁の断面説明図である。
図１において、符号１は逆止弁、２はその弁箱、３は弁体である。弁体３には、図１ないし図３に示すように、弁体３に形成された弁体アーム（図示せず）が弁棒５に固定されている。弁棒５は、軸受ブッシュ６により弁箱２に回動可能に、しかも軸方向に移動可能に装着されている。この弁棒５には、弁箱２を貫通してその外方へ突出されるため、Ｏリング等を備えたグランド機構８を設けて、圧力水の漏れを防ぐように構成している。
【００１０】
弁棒５の弁箱２の外に現出した部分、すなわちグランド機構８の外側にはスプリングユニット９が設けられている。スプリングユニット９内では、弁棒５に止めネジ１１，１２によってスプリングスプリングレバー１０が固定されており、このスプリングレバー１０の両端近くにはピン１３,１４が取り付けられている。また、弁箱２には図３に示すようにほぼ菱形に形成されたスプリングユニットケース１５が設けられ、スプリングユニットケース１５は図示していないボルトによって弁箱２に固定されている。このスプリングユニットケース１５には弾性付勢手段としてのスプリング１６、１７がスプリングユニットケース１５の両端近くにそれぞれ設けられたピン１８，１９と、上記したスプリングレバー１０のピン１３,１４との係止されて取り付けられている。すなわち、スプリング１６は、スプリングユニットケース１５のピン１８と、スプリングレバー１０のピン１３との掛け渡され、スプリング１７はスプリングユニットケース１５のピン１９とスプリングレバー１０のピン１４と掛け渡されて取り付けられている。なお、スプリング１６，１７は各ピン１３，１４，１８，１９と軸受を介して係止されている。また、上記したスプリングユニット９は弁棒５の軸心を中心として対称形状に形成されている。
【００１１】
２個のスプリング１６，１７は、引っ張りバネであり、両者は協動してスプリングレバー１０を図３の時計方向に回動させるように作用している。従って、弁棒５に時計方向の回転モーメントを与えることで、このスプリング力は弁棒５および弁体アームを経て弁体３に伝達され、弁体３をその弁座４に着座させるべく作用している。
【００１２】
かかる構成の逆止弁において、経時使用されると弁棒５を沿って微量の圧力水が外部に漏れ、これが溜まって水滴となって落下することが起こる。このとき、弁の下方に貯水槽や汚れを嫌うものがあった場合、それらを汚してしまうという問題があることは先に説明した。
【００１３】
本実施形態では図３に明示するように、スプリングユニット９のスプリングユニットケース１５にユニットカバー２０を取り付け、スプリングユニットケース１５の外側を覆うように構成されている。そして、そのスプリングユニットケース１５には弁を配設したときに重力方向の最下位置にドレンを排出する排出口２１を設けている。
【００１４】
このように構成すれば、弁棒４伝いに漏れたドレンがスプリングユニットケース１５に溜まり、排出口２１からユニット外に排出される。したがって、この排出口２１に、例えばホース等の排水管等を接続すれば、ドレンを外部に漏らすことなく図示していない側溝に流したり、廃水容器等に集めたりすることができる。
【００１５】
ところで、上記逆止弁１は排出口２１が重力方向の最下位置になるように配置して使用しなければならない。図１では弁棒５がほぼ水平で、かつ送水管が水平方向に延びた場合の配置であり、このとき、排出口２１がスプリングユニットケース１５の重力方向の最下位置になる。しかし、図１の逆止弁１を９０度回転し、弁棒５がほぼ水平でも送水管が上下方向に延びる場合では、排出口２１はスプリングユニットケース１５の真横に位置することになる。したがって、排出口２１からドレンを排出することできない。
【００１６】
このため、本実施形態の逆止弁１では、図３に示すように、スプリングユニットケース１５にドレンを排出する排出口２１、２２を少なくとも２方に設ける。すなわち、スプリングユニットケース１５には排出口２１を９０度回転させた位置に排出口２２を設けている。さらに、本実施形態では排出口２１と弁棒５を中心として対称となる位置に排出口２３、排出口２２と弁棒５を中心として対称となる位置に排出口２４の４方に設けている。
【００１７】
このように構成すると、逆止弁１を使用方向が変更されてもドレンの排出が可能となる。しかも、１つの排出口が真下を向けば、他の排出口は真横か真上であるので、４方に排出口２１〜２４を設けても真下以外の排出口からドレンが流れ出るおそれはない。
【図面の簡単な説明】
【００１８】
【図１】本発明に係る逆止弁の縦断面図である。
【図２】本発明に係る逆止弁の横断面図である。
【図３】本発明の逆止弁のスプリングユニット部を示す正面図である。
【符号の説明】
【００１９】
１    逆止弁
２    弁箱
３    弁体
４    弁座
５    弁棒
９    スプリングユニット
１５  スプリングユニットケース
スプリング台
１６，１７  スプリング
２０  ユニットカバー
２１，２２，２３，２４  排出口
【図１】
0004469789.tif 000002
【図２】
0004469789.tif 000003
【図３】
0004469789.tif 000004